(57)【要約】【課題】２組の蒸発器と吸収器を備えつつも、構造を簡素化することができる２段蒸発吸収式冷凍機を提供することを課題とする。【解決手段】再生器１，凝縮器４，低温蒸発器１８，低温吸収器１２，高温蒸発器１５，高温吸収器７，溶液熱交換器３０，３１を備えて構成され、前記低温蒸発器１８及び高温蒸発器１５の底部が異なる高さに設定されるとともに、前記低温蒸発器１８の底部及び高温蒸発器１５の底部は、これら低温蒸発器１８及び高温蒸発器１５の底部よりも低い位置を通る接続部材２６によって接続され、前記低温蒸発器１８及び高温蒸発器１５には、前記接続部材２６から前記低温蒸発器１８及び高温蒸発器１５のうち底部が低く設定されるいずれか一方の蒸発器（具体的には、高温蒸発器１５）にかけての領域に溜まった冷媒が冷媒ポンプ２１によって供給されることを特徴とする。【選択図】  図１
2011007400.tif 000002
【特許請求の範囲】
【請求項１】
再生器，凝縮器，低温蒸発器，低温吸収器，高温蒸発器，高温吸収器，溶液熱交換器を備えて構成され、
前記低温蒸発器及び高温蒸発器の底部が異なる高さに設定されるとともに、
前記低温蒸発器の底部及び高温蒸発器の底部は、これら低温蒸発器及び高温蒸発器の底部よりも低い位置を通る接続部材によって接続され、
前記低温蒸発器及び高温蒸発器には、前記接続部材から前記低温蒸発器及び高温蒸発器のうち底部が低く設定されるいずれか一方の蒸発器にかけての領域に溜まった冷媒が冷媒ポンプによって供給されることを特徴とする２段蒸発吸収式冷凍機。
【請求項２】
前記低温蒸発器及び高温蒸発器に供給される冷媒は、前記低温蒸発器及び高温蒸発器のうち底部が低く設定されるいずれか一方の蒸発器の底部から取り出されることを特徴とする請求項１に記載の２段蒸発吸収式冷凍機。
【請求項３】
前記低温蒸発器及び高温蒸発器に供給される冷媒は、前記接続部材から取り出されることを特徴とする請求項１に記載の２段蒸発吸収式冷凍機。
【請求項４】
前記低温吸収器の両側に前記低温蒸発器及び高温蒸発器が配置されるとともに、
前記低温蒸発器の底部が前記高温蒸発器の底部よりも高く設定され、
前記低温蒸発器の底部よりも下方の空間に低温吸収器の底部が張り出すように設けられることを特徴とする請求項１又は２に記載の２段蒸発吸収式冷凍機。
【請求項５】
前記低温蒸発器及び高温蒸発器に供給される冷媒を取り出す取出配管は、前記冷媒ポンプよりも下流側で前記低温蒸発器へ向かう配管及び高温蒸発器へ向かう配管に分岐することを特徴とする請求項１又は２に記載の２段蒸発吸収式冷凍機。
【発明の詳細な説明】
【技術分野】
【０００１】
本発明は、２組の蒸発器と吸収器を備え、高圧側の蒸発器によって低圧側の吸収器を冷却する構成とした２段蒸発吸収式冷凍機に関する。
【背景技術】
【０００２】
蒸発器と吸収器を２組備えた２段蒸発吸収式冷凍機としては、例えば特許文献１に示すものがある。特許文献１の２段蒸発吸収式冷凍機では、２つの冷媒ポンプを備え、１台は高温蒸発器出口部に設置され、もう１台は低温蒸発器出口部に設置されている。また、この２段蒸発吸収式冷凍機は、低温蒸発器と高温蒸発器の底部に冷媒が溜められ、低温吸収器及び高温吸収器の底部に溶液が溜められる構成となっている。
【先行技術文献】
【特許文献】
【０００３】
【特許文献１】特開２００８−９５９７６号公報
【発明の概要】
【発明が解決しようとする課題】
【０００４】
しかしながら、特許文献１に示す従来技術では、高温蒸発器及び低温蒸発器の下部に冷媒を溜める冷媒タンクが設けられ、高温吸収器と低温吸収器の下部に溶液を溜める溶液タンクが設けらており、各タンク分の容積を確保する必要がある。
【０００５】
そこで、本発明は、２組の蒸発器と吸収器を備えつつも、構造を簡素化することができる２段蒸発吸収式冷凍機を提供することを課題とする。
【課題を解決するための手段】
【０００６】
上記の目的を達成すべく、本発明は、再生器，凝縮器，低温蒸発器，低温吸収器，高温蒸発器，高温吸収器，溶液熱交換器を備えて構成され、前記低温蒸発器及び高温蒸発器の底部が異なる高さに設定されるとともに、前記低温蒸発器の底部及び高温蒸発器の底部は、これら低温蒸発器及び高温蒸発器の底部よりも低い位置を通る接続部材によって接続され、前記低温蒸発器及び高温蒸発器には、前記接続部材から前記低温蒸発器及び高温蒸発器のうち底部が低く設定されるいずれか一方の蒸発器にかけての領域に溜まった冷媒が冷媒ポンプによって供給されることを特徴とする。
【０００７】
かかる構成によれば、低温蒸発器及び高温蒸発器で蒸発しきれなかった冷媒は、前記低温蒸発器及び高温蒸発器の底部に向かって流れ落ちる。ここで、前記低温蒸発器及び高温蒸発器の底部が異なる高さに設定され、前記低温蒸発器の底部及び高温蒸発器の底部は、接続部材によって接続されるため、底部が高く設定された他方の蒸発器の底部にある冷媒は、底部に溜まりにくく、液面高さを保つように一方の蒸発器の方へ移動する。このようにして、低温蒸発器及び高温蒸発器で蒸発しきれなかった冷媒が集約される。従って、低温蒸発器及び高温蒸発器の底部に冷媒を貯留する部分をそれぞれ設ける必要がなく、底部が高く設定された他方の蒸発器には冷媒を貯留する部分が不要となる。
【０００８】
なお、接続部材は、低温蒸発器及び高温蒸発器の底部よりも低い位置を通るため、接続部材の最も低い位置に冷媒が溜まり、前記低温蒸発器の底部及び高温蒸発器の底部は、気体の流通を遮断した状態となる。従って、低温蒸発器及び高温蒸発器内をそれぞれ異なった圧力に維持することができる。
【０００９】
また、上記２段蒸発吸収式冷凍機においては、前記低温蒸発器及び高温蒸発器に供給される冷媒は、前記低温蒸発器及び高温蒸発器のうち底部が低く設定されるいずれか一方の蒸発器の底部から取り出される構成であってもよく、前記低温蒸発器及び高温蒸発器に供給される冷媒は、前記接続部材から取り出される構成であってもよい。
【００１０】
また、上記２段蒸発吸収式冷凍機においては、前記低温吸収器の両側に前記低温蒸発器及び高温蒸発器が配置されるとともに、前記低温蒸発器の底部が前記高温蒸発器の底部よりも高く設定され、前記低温蒸発器の底部よりも下方の空間に低温吸収器の底部が張り出すように設けられる構成が好ましい。
【００１１】
このようにすれば、低温吸収器において冷媒蒸気を吸収した溶液を貯留する部分の容積を大きく確保することができる。
【００１２】
また、上記２段蒸発吸収式冷凍機においては、前記低温蒸発器及び高温蒸発器に供給される冷媒を取り出す取出配管は、前記冷媒ポンプよりも下流側で前記低温蒸発器へ向かう配管及び高温蒸発器へ向かう配管に分岐する構成が好ましい。
【００１３】
このようにすれば、取出配管及び冷媒ポンプを一つに集約することができるため、２段蒸発吸収式冷凍機の構造をより一層簡素化することができる。また、コスト低減が図れるとともに、２段蒸発吸収式冷凍機の消費電力を低減することができる。
【発明の効果】
【００１４】
以上のように、本発明によれば、低温蒸発器及び高温蒸発器の底部のいずれかのみに冷媒を貯留する部分を設ければよいため、２段蒸発吸収式冷凍機の構造を簡素化することができる。また、底部が高く設定された他方の蒸発器には冷媒を貯留する部分が不要となることから、その不要となった部分を別の用途で有効利用することができる。
【図面の簡単な説明】
【００１５】
【図１】本発明の第１実施例に係る２段蒸発吸収式冷凍機のサイクル系統図。
【図２】図１における低温蒸発器，低温吸収器及び高温蒸発器の位置関係を示す図。
【図３】本発明の第２実施例に係る２段蒸発吸収式冷凍機のサイクル系統図。
【発明を実施するための形態】
【００１６】
以下、本発明の実施形態に係る２段蒸発吸収式冷凍機を図面を用いて説明する。本実施形態に係る２段蒸発吸収式冷凍機は、再生器１，凝縮器４，低温蒸発器１８，低温吸収器１２，高温蒸発器１５，高温吸収器７，溶液熱交換器３０，３１を備えて構成され、前記低温蒸発器１８及び高温蒸発器１５の底部が異なる高さに設定されるとともに、前記低温蒸発器１８の底部及び高温蒸発器１５の底部は、これら低温蒸発器１８及び高温蒸発器１５の底部よりも低い位置を通る接続部材２６によって接続され、前記低温蒸発器１８及び高温蒸発器１５には、前記接続部材２６から前記低温蒸発器１８及び高温蒸発器１５のうち底部が低く設定されるいずれか一方の蒸発器（具体的には、高温蒸発器１５）にかけての領域に溜まった冷媒が冷媒ポンプ２１によって供給される。
【００１７】
かかる構成によれば、低温蒸発器１８及び高温蒸発器１５で蒸発しきれなかった冷媒は、前記低温蒸発器１８及び高温蒸発器１５の底部に向かって流れ落ちる。ここで、前記低温蒸発器１８及び高温蒸発器１５の底部が異なる高さに設定され、前記低温蒸発器１８の底部及び高温蒸発器１５の底部は接続部材２６によって接続されるため、底部が高く設定された他方の蒸発器（具体的には、低温蒸発器１８）の底部にある冷媒は、底部に溜まりにくく、液面高さを保つように一方の蒸発器（具体的には、高温蒸発器１５）の方へ移動する。このようにして、低温蒸発器１８及び高温蒸発器１５で蒸発しきれなかった冷媒が集約される。従って、低温蒸発器１８及び高温蒸発器１５の底部に冷媒を貯留する部分をそれぞれ設ける必要がなく、底部が高く設定された他方の蒸発器（具体的には、低温蒸発器１８）には冷媒を貯留する部分が不要となる。
【００１８】
従って、低温蒸発器１８及び高温蒸発器１５の底部のいずれかにのみに冷媒を貯留する部分を設ければよいため、２段蒸発吸収式冷凍機の構造を簡素化することができる。また、底部が高く設定された他方の蒸発器（具体的には、低温蒸発器１８）には冷媒を貯留する部分が不要となることから、その不要となった部分を別の用途で有効利用することができる。
【００１９】
なお、接続部材は、低温蒸発器及び高温蒸発器の底部よりも低い位置を通るため、接続部材の最も低い位置に冷媒が溜まり、前記低温蒸発器の底部及び高温蒸発器の底部は、気体の流通を遮断した状態となる。従って、低温蒸発器及び高温蒸発器内をそれぞれ異なった圧力に維持することができる。
【００２０】
ところで、特許文献１に示す従来技術では、高温蒸発器及び低温蒸発器のそれぞれに冷媒ポンプが設けられ、高温吸収器及び低温吸収器のそれぞれに溶液ポンプが設けられている。従って、蒸発器及び吸収器を１組のみ有する一般的な吸収式冷凍機と比較すると、蒸発器及び吸収器が２組であることに対応して、冷媒ポンプ及び溶液ポンプも２組となっている。このため、冷媒ポンプ及び溶液ポンプが増加した分だけコストが増加するとともに、運転中の消費電力も増加するため、熱源駆動で消費電力が少ないといった吸収式冷凍機のメリットを十分に発揮できないおそれがある。この点、本実施形態に係る２段蒸発吸収冷凍機は、一つの冷媒ポンプで足りるため、２段蒸発吸収式冷凍機の構造を簡素化することができ、コスト低減が図れるとともに、２段蒸発吸収式冷凍機の消費電力を低減することができる。
【００２１】
具体的には、本実施形態に係る２段蒸発吸収式冷凍機は、前記低温吸収器１２の両側に前記低温蒸発器１８及び高温蒸発器１５が配置されるとともに、前記低温蒸発器１８の底部が前記高温蒸発器１５の底部よりも高く設定され、前記低温蒸発器１８の底部よりも下方の空間に低温吸収器１２の底部が張り出すように設けられる。従って、低温吸収器１２において冷媒蒸気を吸収した溶液を貯留する部分の容積を大きく確保することができる。
【００２２】
また、前記低温蒸発器１８及び高温蒸発器１５に供給される冷媒を取り出す取出配管２２は、前記冷媒ポンプ２１よりも下流側で前記低温蒸発器１８へ向かう配管２４及び高温蒸発器１５へ向かう配管２５に分岐する。従って、取出配管２２及び冷媒ポンプ２１を一つに集約することができるため、２段蒸発吸収式冷凍機の構造をより一層簡素化することができる。また、コスト低減が図れるとともに、２段蒸発吸収式冷凍機の消費電力を低減することができる。
【実施例１】
【００２３】
次に、本発明の２段蒸発吸収式冷凍機の第一実施例について、説明する。第一実施例に係る２段蒸発吸収式冷凍機においては、前記低温蒸発器１８及び高温蒸発器１５に供給される冷媒は、前記低温蒸発器１８及び高温蒸発器１５のうち底部が低く設定されるいずれか一方の蒸発器（具体的には、高温蒸発器１５）の底部から取り出される。
【００２４】
図１は、本発明の２段蒸発吸収式冷凍機の第一実施例を示すサイクル系統図である。２段蒸発吸収式冷凍機は、再生器１，凝縮器４，高温吸収器７，高温蒸発器１５と低温吸収器１２からなる一体型蒸発吸収器１１，低温蒸発器１８，溶液熱交換器３０，３１，溶液ポンプ２７，２８，２９，冷媒ポンプ２１を備えている。図２は、図１のサイクル系統図における低温蒸発器１８と低温吸収器１２と高温蒸発器１５の部分を抜出したもので、Ｐ１（Ｐａ）は高温蒸発器１５の圧力、Ｐ２（Ｐａ）は低温蒸発器１８の圧力、ｈ（mm）は高温蒸発器１５の冷媒タンク３５内の冷媒の液面高さ、Ｈ（mm）は高温蒸発器１５の冷媒タンク３５の底部から低温蒸発器１８の底部までの高さを示す。
【００２５】
再生器１内には複数本の伝熱管３が備えられており、伝熱管３の上部には溶液散布装置２が配置されている。凝縮器４の内部には複数本の伝熱管５が備えられており、再生器１と凝縮器４は蒸気通路６で連通されている。再生器１の底部は溶液ポンプ２９と溶液熱交換器３１を介して高温吸収器７の上部に設けられた溶液散布装置８と配管で接続されている。
【００２６】
高温吸収器７の内部には水平に配置された複数本の伝熱管９が配置されている。高温吸収器７の下部には溶液タンク３３が配置され、溶液タンク３３の底部は、溶液ポンプ２８，溶液熱交換器３０を介して低温吸収器１２の上部に設けられた溶液散布装置１３と配管で接続されている。
【００２７】
高温蒸発器１５は垂直に配置された複数本の伝熱管１７の管内に構成されており、伝熱管１７の上下とも開口し、エリミネータ１０を介して高温吸収器７と連通する構成となっている。また、伝熱管１７の上部開口部側には冷媒散布装置１６が配置されている。また、高温蒸発器１５下部には冷媒タンク３５が配置され、冷媒タンク３５の底部は配管２２によって冷媒ポンプ２１の吸込側に接続されている。冷媒ポンプ２１の吐出側には配管２３が接続されている。配管２３は、配管２４及び配管２５に分岐する。一方の配管２４は、低温蒸発器１８の冷媒散布装置１９に接続され、他方の配管２５は、高温蒸発器１５の冷媒散布装置１６に接続されている。また、高温蒸発器１５下部の冷媒タンク３５の底部は、絞り３２を備える配管によって凝縮器４の底部と接続されている。高温蒸発器１５下部の冷媒タンク３５の底部は、また、接続部材２６によって低温蒸発器１８の底部と接続されている。接続部材２６としては、Ｕシールとなる連通管が用いられる。即ち、接続部材２６は、トラップ構造を有する配管である。
【００２８】
低温吸収器１２は伝熱管１７の管外に構成されており、上部には伝熱管１７が貫通し伝熱管１７の外面に溶液を供給する溶液散布装置１３が備えられている。低温吸収器１２の下部には溶液タンク３４が設置され、溶液タンク３４の底部は溶液ポンプ２７，溶液熱交換器３０，３１を介して、再生器１の上部に設けられた溶液散布装置２と配管で接続されている。
【００２９】
低温蒸発器１８の内部には水平に配置された複数本の伝熱管２０が備えられており、上部には冷媒散布装置１９が配置されており、エリミネータ１４を介して低温吸収器１２と連通している。低温蒸発器１８の底部は、高温蒸発器１５の冷媒タンク３５の底部より高い位置に設定されている。ここで、高温蒸発器１５の冷媒タンク３５の底部から低温蒸発器１８の底部までの高さＨ（mm）は、運転中における低温蒸発器１８と高温蒸発器１５内の圧力Ｐ１（Ｐａ）とＰ２（Ｐａ）、及び冷媒タンク３５内の冷媒の液面高さｈ（mm）から、（１）式に示す関係で決められる。
【００３０】
【数１】
2011007400.tif 000003
【００３１】
このように構成した２段蒸発吸収式冷凍機の動作は以下の通りである。
【００３２】
再生器１の溶液散布装置２から散布された溶液は伝熱管３上で管内を流れる加熱媒体と熱交換して加熱され、冷媒蒸気を発生し、溶液は濃縮される。濃縮された溶液は、溶液ポンプ２９により溶液熱交換器３１に送られ、低温吸収器１２からの溶液と熱交換して冷却され、高温吸収器７の溶液散布装置８に送られる。
【００３３】
高温吸収器７において溶液散布装置８から散布された溶液は伝熱管９上で高温蒸発器１５からの冷媒蒸気を吸収する。ここで、冷媒吸収により発生した吸収熱は伝熱管９内を流れる冷却水と熱交換し冷却される。冷媒蒸気を吸収して濃度が薄くなった溶液は高温吸収器７下部の溶液タンク３３に一旦溜められて、溶液ポンプ２８により溶液熱交換器３０に送られる。溶液熱交換器３０で低温吸収器１２からの溶液と熱交換して冷却され、低温吸収器１２の溶液散布装置１３に送られる。
【００３４】
低温吸収器１２において溶液散布装置１３から伝熱管１７の外面に供給された溶液は、垂直配置された伝熱管１７の外面を流下し、低温蒸発器１８からの冷媒蒸気を吸収する。冷媒吸収により発生した吸収熱は、伝熱管１７内を流下する冷媒の加熱に利用される。冷媒蒸気を吸収して濃度がさらに低下した溶液は低温吸収器１２下部の溶液タンク３４に一旦溜められて、溶液ポンプ２７により溶液熱交換器３０に送られる。溶液熱交換器３０で高温吸収器７からの溶液と熱交換して温度上昇した溶液は、溶液熱交換器３１で再生器１からの溶液と熱交換してさらに温度上昇したのち、再生器１の溶液散布装置２に送られる。
【００３５】
一方、再生器１で発生した冷媒蒸気は、蒸気通路６を通って凝縮器４に送られ、伝熱管５内を流れる冷却水と熱交換し冷却されることで、伝熱管５の表面で凝縮液化する。凝縮液化した冷媒は凝縮器４の底部から絞り３２を通って高温蒸発器１５下部の冷媒タンク３５に一旦溜められる。
【００３６】
高温蒸発器１５下部の冷媒タンク３５に溜められた冷媒は、冷媒ポンプ２１で配管２３を通り途中で分岐し、高温蒸発器１５の上部の冷媒散布装置１６及び低温蒸発器１８の上部の冷媒散布装置１９に送られる。
【００３７】
高温蒸発器１５の冷媒散布装置１６の冷媒は、伝熱管１７の上部の開口部から管内壁に沿って流下し、管外を流下する溶液からの吸収熱で加熱され蒸発する。蒸発した冷媒蒸気は、伝熱管１７の上下の開口部からエリミネータ１０を通って高温吸収器７へ送られる。伝熱管１７の内面で蒸発しきれなかった冷媒は、高温蒸発器１５下部の冷媒タンク３５に溜められる。
【００３８】
低温蒸発器１８の冷媒散布装置１９の冷媒は、伝熱管２０に散布され、伝熱管２０内を流れる冷水から熱を奪って蒸発する。蒸発した冷媒蒸気は、エリミネータ１４を通って低温吸収器１２に送られる。伝熱管２０上で蒸発しきれなかった冷媒は、接続部材２６を通って高温蒸発器１５の冷媒タンク３５に送られる。
【００３９】
なお、前記溶液タンク３３，溶液タンク３４，冷媒タンク３５におけるタンクとは、それぞれ高温吸収器７，低温吸収器１２，高温蒸発器１５のうち液体が溜まる領域を指す用語であり、溶液タンク３３又は３４はそれぞれ溶液貯留部と特定することもでき、冷媒タンク３５はそれぞれ冷媒液貯留部と特定することもできる。
【００４０】
以上説明したように、本実施例に係る２段蒸発吸収式冷凍機では、垂直に設置した伝熱管１７の外面で冷媒蒸気を吸収した溶液の吸収熱を、伝熱管１７の内面を流下する液冷媒の蒸発潜熱で直接冷却するようにしているので、低温吸収器１２と高温蒸発器１５の間の熱交換温度差を小さくすることができるとともに、高温蒸発器１５の冷媒タンク３５出口部に設置した冷媒ポンプ２１の１台で、低温蒸発器１８と高温蒸発器１５の冷媒散布装置１６，１９に冷媒を供給できるようにしたので、低温蒸発器１８分の冷媒ポンプを削減できる。これにより、２段蒸発吸収式冷凍機のコスト低減が図れるとともに、消費電力も低減することができる。
【００４１】
また、低温蒸発器１８の底部の高さＨを、（１）式で設定しているので、低温蒸発器１８の冷媒散布装置１９から散布され伝熱管２０表面で蒸発できなかった冷媒を、低温蒸発器１８の底部で一旦溜められることなく接続部材２６を通って高温蒸発器１５の冷媒タンク３５に送ることができる。仮に低温蒸発器１８底部と高温蒸発器１５底部を同じ高さに配置した場合には、低温蒸発器１８の冷媒の液面高さが（（Ｐ１−Ｐ２）／９.８）だけ高くなる。このことから、低温蒸発器１８底部の高さＨを、高温蒸発器１５の冷媒の液面高さを加えた（（Ｐ１−Ｐ２）／９.８＋ｈ）より高くすることで、低温蒸発器１８下部に液面を溜めることなく高温蒸発器１５に送ることができる。これにより、低温蒸発器１８の冷媒タンクが不要となるのでコスト低減を図ることができる。また、低温蒸発器１８の冷媒タンク分のスペースが不要となることから、機器配置の自由度を増すことができる。例えば、図１に示すように低温吸収器１２の溶液タンク３４を配置するスペースとして有効に利用することができる。
【実施例２】
【００４２】
次に、本発明の２段蒸発吸収式冷凍機の第二実施例について、説明する。第二実施例に係る２段蒸発吸収式冷凍機においては、前記低温蒸発器１８及び高温蒸発器１５に供給される冷媒は、前記接続部材２６から取り出される。
【００４３】
図３は本発明の第二実施例に係る２段蒸発吸収式冷凍機を示す他のサイクル系統図である。本実施例は、サイクルの主な構成要素は図１の実施例と同様であり、低温蒸発器１８で蒸発しきれなかった冷媒の流路が異なっている。以下の説明で図１と同様の部位については同一符号で示す。
【００４４】
以下、図１の実施例と異なっている構成及び作用について説明する。
【００４５】
低温蒸発器１８の底部と、高温蒸発器１５の冷媒タンク３５底部と冷媒ポンプ２１を接続する配管２２のＡ点で、接続部材２６が接続されている。また、高温蒸発器１５の冷媒タンク３５底部から低温蒸発器１８の底部までの高さＨ（mm）は、実施例１と同様に図２から（１）式に示す関係で決められる。その他の構成は実施例１と同様である。
【００４６】
上記のように構成した本実施例の２段蒸発吸収式冷凍機の動作で実施例１と異なる点は、以下の通りである。低温蒸発器１８の冷媒散布装置１９で散布され伝熱管２０表面で蒸発しきれなかった冷媒は、接続部材２６を通って配管２２のＡ点で高温蒸発器１５の冷媒と合流し、冷媒ポンプ２１で再度低温蒸発器１８の冷媒散布装置１９と高温蒸発器１５の冷媒散布装置１６に分配される。
【００４７】
以上説明したように、本実施例においては、低温蒸発器１８の底部の高さＨを、（１）式で設定しているので、低温蒸発器１８で冷媒散布装置１９から散布され伝熱管２０表面で蒸発できなかった冷媒は、低温蒸発器１８の底部で一旦溜められることなく接続部材２６を通って配管２２のＡ点で、高温蒸発器１５の冷媒と合流し冷媒ポンプ２１に送ることができる。これにより、実施例１と同様に低温蒸発器１８の冷媒タンクが不要となるのでコスト低減を図ることができる。また、低温蒸発器１８の冷媒タンク分のスペースが不要となることから、機器配置の自由度を増すことができる。例えば、図２に示すように低温吸収器１２の溶液タンク３４を配置するスペースとして有効に利用することができる。
【００４８】
なお、本発明に係る２段蒸発吸収式冷凍機は、上記実施形態に限定されるものではなく、発明の趣旨を逸脱しない範囲内で種々の変更が可能である。
【００４９】
例えば、上記実施形態においては、低温蒸発器１８の底部が高温蒸発器１５の底部よりも高く設定されるものであったが、これに限定されるものでなく、高温蒸発器の底部が低温蒸発器の底部よりも高く設定されるものであってもよい。この場合、前記低温蒸発器及び高温蒸発器には、前記接続部材から低温蒸発器にかけての領域に溜まった冷媒が供給されることとなる。より具体的には、前記低温蒸発器及び高温蒸発器に供給される冷媒は、前記低温蒸発器の底部から取り出されるものであってもよく、前記接続部材から取り出されるものであってもよい。
【００５０】
また、上記実施形態においては、前記低温蒸発器１８及び高温蒸発器１５に供給される冷媒を取り出す取出配管２２は、前記冷媒ポンプ２１よりも下流側で前記低温蒸発器１８へ向かう配管２４及び高温蒸発器１５へ向かう配管２５に分岐するものであったが、これに限定されるものでなく、低温蒸発器及び高温蒸発器に供給される冷媒を取り出す取出配管が各蒸発器用にそれぞれ設けられ、冷媒ポンプも各取出配管用にそれぞれ設けられるものであってもよい。
【００５１】
また、低温蒸発器の底部及び高温蒸発器の底部を接続する接続部材は、これら低温蒸発器及び高温蒸発器の底部よりも低い位置を通り且つ液体を流通可能なものであればよく、配管として設けられるものに限定されない。
【００５２】
また、上記実施形態においては一重効用の吸収式冷凍機を用いて説明したが、本発明は、二重又はそれ以上の多重効用の吸収式冷凍機にも適用可能である。
【符号の説明】
【００５３】
１  再生器
２，８，１３  溶液散布装置
３，５，９，１７，２０  伝熱管
４  凝縮器
７  高温吸収器
１０，１４  エリミネータ
１１  一体型蒸発吸収器
１５  高温蒸発器
１６，１９  冷媒散布装置
１８  低温蒸発器
２１  冷媒ポンプ
２６  接続部材
２７，２８，２９  溶液ポンプ
３０，３１  溶液熱交換器
【図１】
2011007400.tif 000004
【図２】
2011007400.tif 000005
【図３】
2011007400.tif 000006